(57)【要約】【課題】  駆動電流の供給開始から発光するまでの立ち上がり速度が速く、高速走査を行うことができる発光ディスプレイ及びその駆動装置を提供すること。【解決手段】  マトリックス状に配置した複数の陽極線と陰極線の各交点位置に発光素子を接続し、陽極線と陰極線のいずれか一方を走査線にするとともに他方をドライブ線とし、走査線を所定周期で走査しながら、該走査と同期して所望のドライブ線に駆動源を接続することにより走査線とドライブ線の交点位置に接続された発光素子を発光させるようにした単純マトリックス駆動方式からなる発光ディスプレイ及びその駆動方法において、任意の走査線の走査が終了し次の走査線の走査に切り換わるまでの期間に、すべての素子にオフセット電圧を印加してこれらを充電するように構成した。【選択図】  図１
2006031050.tif 000002
【特許請求の範囲】
【請求項１】
マトリックス状に配置した複数の陽極線と陰極線の各交点位置に発光素子を接続し、前記陰極線と陽極線のいずれか一方を走査線にするとともに他方をドライブ線とし、走査線を所定周期で走査しながら、該走査と同期して所望のドライブ線に駆動源を接続することにより走査線とドライブ線の交点位置に接続された発光素子を発光させるようにした単純マトリックス駆動方式からなる発光ディスプレイの駆動方法において、
任意の走査線の走査が終了し次の走査線の走査に切り換わるまでの期間に、前記発光素子にオフセット電圧を印加してこれを充電するようにしたことを特徴とする発光ディスプレイの駆動方法。
【請求項２】
前記オフセット電圧は、前記走査線を接地するとともに前記ドライブ線を前記駆動源とは異なる電圧源に接続することにより前記発光素子に印加されることを特徴とする請求項１に記載の発光ディスプレイの駆動方法。
【請求項３】
前記オフセット電圧は、前記走査線の発光素子と前記走査線の端部の間の抵抗分における降下電圧に相当する値に決められることを特徴とする請求項１ないしは２に記載の発光ディスプレイの駆動方法。
【請求項４】
前記オフセット電圧は、前記発光素子と前記走査線の端部との間の抵抗の大きさに対応して設定されることを特徴とする請求項１ないしは２に記載の発光ディスプレイの駆動方法。
【請求項５】
前記複数の走査線のうち走査がなされていない線にはバイアス電圧を印加するとともに、前記複数のドライブ線のうちドライブされていない線は接地するようにしたことを特徴とする請求項１ないしは４に記載の発光ディスプレイの駆動方法。
【請求項６】
前記発光素子は寄生容量を有する有機ＥＬ素子であることを特徴とする請求項１ないしは５に記載の発光ディスプレイの駆動方法。
【請求項７】
マトリックス状に配置した複数の陽極線と陰極線の各交点位置に発光素子を接続し、前記陽極線と陰極線のいずれか一方を走査線にするとともに他方をドライブ線とし、走査線を所定周期で走査しながら、該走査と同期して所望のドライブ線を駆動することにより走査線とドライブ線の交点位置に接続された発光素子を発光させるようにした単純マトリックス駆動方式からなる発光ディスプレイであって、
前記走査線の各々はバイアス電圧を印加するバイアス電圧印加手段とグランドのいずれか一つに接続可能とされ、
前記陽極線の各々は、前記発光素子に駆動電流を供給する定電流源と、発光素子にオフセット電圧を印加する電圧源とグランドのいずれか一つに接続可能とされることを特徴とする発光ディスプレイ。
【請求項８】
任意の走査線の走査が終了し次の走査線の走査に切り換わるまでの期間に、前記複数のドライブ線を前記電圧源に接続するとともに前記走査線をグランドに接続して、前記発光素子を充電するようにしたことを特徴とする請求項７に記載の発光ディスプレイ。
【請求項９】
前記オフセット電圧は、前記走査線の発光素子と前記走査線の端部の間の抵抗分における降下電圧に相当する値に決められることを特徴とする請求項７ないしは８に記載の発光ディスプレイ。
【請求項１０】
前記電圧源は可変電圧源であるとともに、次に走査される陰極線に接続されたすべての発光素子の発光状況に応じてこれら発光素子の各々に印加するオフセット電圧を決定するオフセット電圧決定手段と、
該オフセット電圧決定手段により決定されたオフセット電圧を印加するように前記可変電圧源の供給電圧値を制御する電圧制御手段と、
を備えたことを特徴とする請求項９に記載の発光ディスプレイ。
【請求項１１】
前記オフセット電圧は、前記発光素子と前記走査線の端部との間の抵抗の大きさに対応して設定されることを特徴とする請求項７ないしは８に記載の発光ディスプレイ。
【請求項１２】
前記走査線の走査期間において、走査がなされていない線には前記バイアス電圧印加手段を接続するとともに、
ドライブがなされていない線は前記グランドに接続するようにしたことを特徴とする請求項７ないしは１１に記載の発光ディスプレイ。
【請求項１３】
前記発光素子は容量性を有する有機ＥＬ素子であることを特徴とする請求項７ないしは１２に記載の発光ディスプレイ。
【発明の詳細な説明】
【技術分野】
【０００１】
本発明は、有機ＥＬ（エレクトロルミネッセンス）等の発光素子を用いた発光ディスプレイ及びその駆動方法に関する。
【背景技術】
【０００２】
近年、有機ＥＬ表示装置はバックライトを必要としない自発光型表示装置として注目されている。有機材の開発が進み長寿命化が実現し、薄型で高効率発光であり、バックライトを含めた低消費化が可能であることから、画面のより高精細度化、より大型化の開発が盛んである。
【０００３】
この有機ＥＬ素子は容量性を有する素子であるため、マトリクスディスプレイの駆動方法として広く採用されている単純マトリクス駆動方式を行う場合において、発光素子の寄生容量に電荷が充電され、この電荷の影響で素子の発光が不十分になるという問題がある。この問題について以下に具体的に説明する。
【０００４】
図６に示す駆動方法は、単純マトリックス駆動方式と呼ばれるもので、陽極線Ａ１〜Ａ２５６と陰極線Ｂ１〜Ｂ６４をマトリックス（格子）状に配置し、このマトリックス状に配置した陽極線と陰極線の各交点位置に接続された発光素子Ｅ１，１〜Ｅ２５６，６４を接続し、この陽極線または陰極線のいずれか一方を一定の時間間隔で順次選択して走査するとともに、この走査に同期して他方の線を駆動源としての定電流源２１〜２２５６でドライブしてやることにより、任意の交点位置の発光素子を発光させるようにしたものである。尚、この定電流源２１〜２２５６からは、駆動電流として一定電流Ｉが供給される。
【０００５】
例えば、図６は２つの発光素子Ｅ１１とＥ２１を点灯させた場合の例であり、走査スイッチ５１が０Ｖ側に切り換えられ、陰極線Ｂ１が走査されている。他の陰極線Ｂ２〜Ｂ６４には、走査スイッチ５２〜５６４により逆バイアス電圧ＶＣＣ（１０Ｖ）が印加されている。この逆バイアス電圧は、定電流源２１〜２２５６から供給される電流が走査されていない陰極線に流れ込むことを防止するために印加されるものであって、その電圧値ＶＣＣは、発光素子を所望の瞬時輝度で発光させるために発光素子間に印加する電圧値、即ち、発光素子が一端に定電流源、他端にアースを接続されて駆動されているときの発光素子の印加電圧とほぼ同一とされることが望ましい。
【０００６】
また、陽極線Ａ１とＡ２には、ドライブスイッチ６１と６２によって定電流源２１、２２が接続され、シャントスイッチ７１と７２は開放されている。他の陽極線Ａ３〜Ａ２５６に対して、定電流源２３〜２２５６は開放され、シャントスイッチ７３〜７２５６はアース電位が与えられている。従って、図６の場合、発光素子Ｅ１，１とＥ２，１が順方向にバイアスされ、定電流源２１と２２から図中矢印で示すように駆動電流が流れ込み、２つの発光素子Ｅ１，１、Ｅ２，１のみが発光している。尚、図示される走査スイッチ５１〜５６４、ドライブスイッチ６１〜６２５６、シャントスイッチ７１〜７２５６は発光データが入力される発光制御回路４によって動作を制御されるものである。
【０００７】
また、陰極線Ｂ２〜Ｂ６４と陽極線Ａ１、Ａ２の交点位置に接続された各発光素子は、一方の端子に走査スイッチ５２〜５６４により逆バイアス電圧が印加され、他方の端子に定電流源２１、２２から逆バイアス電圧と略同一の電圧が供給されているので、各発光素子には電流が流れない。従って、各発光素子の寄生容量に電荷が充電されることがない。また、陰極線Ｂ２〜Ｂ６４と陽極線Ａ３〜Ａ２５６の交点位置に接続された各発光素子には逆バイアス電圧が印加されているので、発光素子が有する寄生容量（ハッチングされたコンデンサ）は、それぞれ図に示すような逆方向の電荷が充電された状態（素子の陰極側の電位が高くなる状態）となっている。
【０００８】
このように寄生容量に逆方向の電荷が充電された状態で次の発光素子を発光すべく陰極線を走査すると、発光素子が発光するまでの立ち上がりが遅くなり、高速走査が行えないという問題が生じる。これについて図７を基に説明する。図７は、図６のうち陽極線Ａ３に接続された発光素子Ｅ３，１〜Ｅ３，６４の部分だけを示すものであり、（Ａ）は陰極線Ｂ１を走査する状態、（Ｂ）は陰極線Ｂ２を走査する状態を示している。ここで、陰極線Ｂ１を走査するときは発光素子Ｅ３，１の発光を行わず、陰極線Ｂ２を走査するときは発光素子Ｅ３，２を発光する場合を考える。
【０００９】
（Ａ）に示すように、陰極線Ｂ１の走査時に陽極線Ａ３がドライブされていない場合には、現在走査中の陰極線Ｂ１につながれた発光素子Ｅ３，１を除く他の発光素子Ｅ３，２〜Ｅ３，６４の寄生容量は、各陰極線Ｂ２〜Ｂ６４に与えられた逆バイアス電圧ＶＣＣによって図示の向きに充電されている。次に（Ｂ）に示すように、走査が陰極線Ｂ２に移った際に、発光素子Ｅ３，２を発光されるために陽極線Ａ３をドライブすると、発光させるべき発光素子Ｅ３，２の寄生容量が充電されるだけでなく、他の陰極線Ｂ３〜Ｂ６４に接続された発光素子Ｅ３，３〜Ｅ３，６４の寄生容量に対しても矢印で図示するように電流が流れ込んで充電が行われる。
【００１０】
ところで、発光素子は、その両端電圧に応じて発光輝度が変化する特性を持っており、両端電圧が規定値まで立ち上がらないと、定常状態での発光（所望の瞬時輝度での発光）を行うことができない。従来の駆動方法の場合、図７（Ａ）、（Ｂ）に示したように、陰極線Ｂ２に接続された発光素子Ｅ３，２を発光させるために陽極線Ａ３をドライブすると、発光させるべき発光素子Ｅ３，２の寄生容量だけでなく、陽極線Ａ３に接続された他の発光素子Ｅ３，３〜Ｅ３，６４に対しても充電が行われるため、発光されるべき発光素子Ｅ３，２の寄生容量の充電には時間を要することとなり、陰極線Ｂ２につながれた発光素子Ｅ３，２の両端電圧を早急に規定値まで立ち上がることができない。このため、従来の駆動方法は、発光するまでの立ち上がりが遅く、高速走査が不可能であった。
【００１１】
この問題を解決する方法として本出願人は特願平８−３８３９３号公報において以下の駆動方法を提案している。これは図８に示すように、走査が終了し次の陰極線に走査が移るまでの間に、すべてのドライブスイッチ６１〜６２５６をオフにし、すべての走査スイッチ５１〜５６４とすべてのシャントスイッチ７１〜７２５６を０Ｖ側に切り換え、陽極線Ａ１〜Ａ２５６と陰極線Ｂ１〜Ｂ６４のすべてを一旦０Ｖでシャントし、０Ｖによるリセットをかけることにより、発光素子の寄生容量の電荷を放電するように制御する駆動方法である。
【００１２】
この駆動方法によれば、陰極線Ｂ１の走査中に、発光素子Ｅ３，２〜Ｅ３，６４の寄生容量に逆バイアス電圧ＶＣＣによって充電されていた電荷が、陰極線Ｂ２の走査に移行する前には放電されるため、陰極線Ｂ２に走査が移行した瞬間は図９に示す状態となる。このときすべての発光素子の寄生容量の電荷は０とされているので、次に発光させるべき発光素子Ｅ３，２には、図９に示す複数のルートから電流が流れ込み寄生容量は急速に充電される。これにより、発光素子Ｅ３，２の発光の立ち上がりを早くすることができる。
【００１３】
また、図１０及び図１１は他の駆動方法を示したもので、先の駆動方法と異なる点はリセットの方法である。この駆動方法では、ドライブスイッチ６１〜６２５６に３接点の切替スイッチを用い、第１の接点は開放とし、第２の接点は定電流源２１〜２２５６に、第３の接点は電源電圧ＶＣＣ＝１０Ｖにそれぞれ接続されている。例えば、発光素子Ｅ１，１とＥ２，１を発光させる場合の回路状態は、図１０に示すように図６に示した場合と同一であり、説明は省略する。２つの発光素子Ｅ１，１、Ｅ２，１を発光させ、次の発光素子を発光させるため陰極線Ｂ２を走査する前に、図１１に示すようにすべてのシャントスイッチ７１〜７２５６をオフするとともに、すべての走査スイッチ５１〜５６４を逆バイアス電圧側に切り換え、すべてのドライブスイッチ６１〜６２５６を第３の接点側に切り換える。
【００１４】
すると、すべての陽極線Ａ１〜Ａ２５６とすべての陰極線Ｂ１〜Ｂ６４が定電圧源でシャントされることになり、すべての発光素子の寄生容量に充電されていた電荷が一瞬に放電される。即ち、上記２種類の駆動方法は、任意の陰極線の走査が終了し次の陰極線に走査が移るまでの間に、すべての発光素子を一旦リセットすることで発光素子の寄生容量に充電されている電荷を放電するものであり、次に発光させる発光素子への駆動電流の供給開始から発光するまでの立ち上がり速度を速くさせ、高速走査を行うようにした駆動方法である。
【発明の開示】
【発明が解決しようとする課題】
【００１５】
ところで、表示パネルの大型化や高精細度化が進むと、発光素子の素子数が増加し、これらを配線するための陰極線や陽極線が長くなり、且つ細くなる。陰極線は金属によって形成されているので、通常、小さな抵抗値を持っているが、陰極線や陽極線が長くなり、且つ細くなるとその抵抗値が大きくなる。上述した駆動方法は陰極の抵抗値については考慮していないものであるが、この抵抗値が大きくなると以下に述べる無視できない問題が生じる。これについて図１２を基に説明する。尚、図１２は図６の一部を抜き出したものである。
【００１６】
同図において、走査スイッチ５１〜５６４と発光素子Ｅ１，１〜Ｅ１，６４の間の陰極線Ｂ１〜Ｂ６４の抵抗値ｒ１はほぼ０とみなせるが、陰極線の抵抗値は走査スイッチ５１〜５６４から遠くなるに従って大きくなり、走査スイッチ５１〜５６４と発光素子Ｅ２５６，１〜Ｅ２５６，６４の間においてその累積抵抗値（ｒ１＋ｒ２＋……＋ｒ２５６）は最大となる。ここで、上述したリセット動作により各発光素子の寄生容量の電荷が放電され、走査が陰極線Ｂ１からＢ２に移動されるとともに、発光素子Ｅ１，２とＥ２，２５６を発光させるべく陽極線Ａ１とＡ２５６が定電流源２１、２２５６に接続される場合を考える。
【００１７】
まず発光素子Ｅ１，２は、走査が切り換ると直ちに発光素子Ｅ１，１、Ｅ１，３〜Ｅ１，６４側から電流が流れ込むが、このとき発光素子Ｅ１，２と走査スイッチ５２間の陰極線Ｂ２の抵抗値はほぼ０であるので、陰極線Ｂ２の抵抗による電圧降下はない。よって、発光素子Ｅ１，２の両端に印加される電圧は直ちにほぼＶＣＣとなりそれに相当する電荷が充電される。これにより、発光素子Ｅ１，２の両端電圧を所望の規定値であるＶＣＣまで立ち上げることができ、直ちに所望の瞬時輝度での発光を行うことができる。
【００１８】
ところが、発光素子Ｅ２５６，２は、走査が切り換り発光素子Ｅ２５６，１、Ｅ２５６，３〜Ｅ２５６，６４側から電流が流れ込んだとき、陰極線Ｂ２の抵抗ｒ１乃至ｒ２５６によって電圧降下Ｖ２５６が生じる。
【００１９】
よって、発光素子Ｅ２５６，２の両端にかかる電圧はＶＣＣ−Ｖ２５６となり、それに相当する電荷だけが充電されることとなる。従って、走査が切り替った直後は、発光させるべき発光素子Ｅ２５６，２の両端電圧は所定値に到達していないので、所望の瞬時輝度で発光を行える状態にはならない。しかも所望の瞬時輝度で発光させるためには、その両端電圧が所定値ＶＣＣになるまで定電流源２２５６から供給される電流を充電しなければならないが、そのためには陽極線Ａ２５６の電位がＶＣＣ＋Ｖ２５６に到達するまで発光素子Ｅ２５６，１〜Ｅ２５６，６４のすべてに充電を行わなければならず、相当の時間を要することとなる。このように、発光素子Ｅ２５６，２はその選択期間において十分な発光輝度を得ることができず、また発光素子Ｅ１，２との輝度差も生じるため、画面が見にくくなる。
【００２０】
以上説明したとおり、陰極線の抵抗分により、走査スイッチ５１〜５６４から離れたところに位置する素子は近いところに位置する素子に比べて十分な発光輝度が得られず、表示パネルは発光輝度が不均一なものとなってしまう。本発明は、上述した問題点に鑑みてなされたものであり、各素子の発光輝度が均一な表示パネルを実現することのできる発光ディスプレイ及びその駆動方法を提供することを目的とする。
【課題を解決するための手段】
【００２１】
請求項１記載の発明は、マトリックス状に配置した複数の陽極線と 陰極線の各交点位置に発光素子を接続し、陰極線と陽極線のいずれか一方を走査線にするとともに他方をドライブ線とし、走査線を所定周期で走査しながら、該走査と同期して所望のドライブ線に駆動源を接続することにより走査線とドライブ線の交点位置に接続された発光素子を発光させるようにした単純マトリックス駆動方式からなる発光ディスプレイの駆動方法において、任意の走査線の走査が終了し次の走査線の走査に切り換わるまでの期間に、発光素子にオフセット電圧を印加してこれを充電するように構成した。
【００２２】
請求項２記載の発明は、請求項１に記載の発光ディスプレイの駆動方法において、オフセット電圧は、走査線を接地するとともにドライブ線を駆動源とは異なる電圧源に接続することにより発光素子に印加するように構成した。
【００２３】
請求項３記載の発明は、請求項１ないしは２に記載の発光ディスプレイの駆動方法において、オフセット電圧は、走査線の発光素子と走査線の端部の間の抵抗分における降下電圧に相当する値に決められることを特徴とする。
【００２４】
請求項４記載の発明は、請求項１ないしは２に記載の発光ディスプレイの駆動方法において、オフセット電圧は、発光素子と走査線の端部との間の抵抗の大きさに対応して設定されることを特徴とする。
【００２５】
請求項５記載の発明は、請求項１ないしは４に記載の発光ディスプレイの駆動方法において、複数の走査線のうち走査がなされていない線にはバイアス電圧を印加するとともに、複数のドライブ線のうちドライブされていない線は接地するようにしたことを特徴とする。
【００２６】
請求項６記載の発明は、請求項１ないしは５に記載の発光ディスプレイの駆動方法において、発光素子は寄生容量を有する有機ＥＬ素子であることを特徴とする。
【００２７】
請求項７記載の発明は、マトリックス状に配置した複数の陽極線と陰極線の各交点位置に発光素子を接続し、陽極線と陰極線のいずれか一方を走査線にするとともに他方をドライブ線とし、走査線を所定周期で走査しながら、該走査と同期して所望のドライブ線を駆動することにより走査線とドライブ線の交点位置に接続された発光素子を発光させるようにした単純マトリックス駆動方式からなる発光ディスプレイであって、走査線の各々はバイアス電圧を印加するバイアス電圧印加手段とグランドのいずれか一つに接続可能とされ、陽極線の各々は、発光素子に駆動電流を供給する定電流源と、発光素子にオフセット電圧を印加する電圧源とグランドのいずれか一つに接続可能とされることを特徴とする。
【００２８】
請求項８記載の発明は、請求項７に記載の発光ディスプレイにおいて、 任意の走査線の走査が終了し次の走査線の走査に切り換わるまでの期間に、複数のドライブ線を電圧源に接続するとともに走査線をグランドに接続して、発光素子を充電するようにしたことを特徴とする。
【００２９】
請求項９記載の発明は、請求項７ないしは８に記載の発光ディスプレイにおいて、オフセット電圧は、走査線の発光素子と走査線の端部の間の抵抗分における降下電圧に相当する値に決められることを特徴とする。
【００３０】
請求項１０記載の発明は、請求項９に記載の発光ディスプレイにおいて、電圧源は可変電圧源であるとともに、次に走査される陰極線に接続されたすべての発光素子の発光状況に応じてこれら発光素子の各々に印加するオフセット電圧を決定するオフセット電圧決定手段と、該オフセット電圧決定手段により決定されたオフセット電圧を印加するように前記可変電圧源の供給電圧値を制御する電圧制御手段とを備えたことを特徴とする。
【００３１】
請求項１１記載の発明は、請求項７ないしは８に記載の発光ディスプレイにおいて、オフセット電圧は、発光素子と走査線の端部との間の抵抗の大きさに対応して設定されることを特徴とする。
【００３２】
請求項１２記載の発明は、請求項７ないしは１１に記載の発光ディスプレイにおいて、走査線の走査期間において、走査がなされていない線にはバイアス電圧印加手段を接続するとともに、ドライブがなされていない線はグランドに接続するようにしたことを特徴とする。
【００３３】
請求項１３記載の発明は、請求項７ないしは１２に記載の発光ディスプレイにおいて、発光素子は容量性を有する有機ＥＬ素子であることを特徴とする。
【００３４】
本発明の作用によれば、マトリックス状に配置した複数の陽極線と陰極線の各交点位置に発光素子を接続し、陽極線と陰極線のいずれか一方を走査線にするとともに他方をドライブ線とし、走査線を所定周期で走査しながら、該走査と同期して所望のドライブ線に駆動源を接続することにより走査線とドライブ線の交点位置に接続された発光素子を発光させるようにした単純マトリックス駆動方式からなる発光ディスプレイの駆動方法において、任意の走査線の走査が終了し次の走査線の走査に切り換わるまでの期間に、発光素子にオフセット電圧を印加してこれらを充電するように構成したので、陰極線の抵抗によって生じる各発光素子の発光立ち上がり時間のバラツキを少なくすることができ、視者が見やすい発光ディスプレイを駆動することができる。
【００３５】
また、マトリックス状に配置した複数の陽極線と陰極線の各交点位置に発光素子を接続し、陽極線と陰極線のいずれか一方を走査線にするとともに他方をドライブ線とし、走査線を所定周期で走査しながら、該走査と同期して所望のドライブ線を駆動することにより走査線とドライブ線の交点位置に接続された発光素子を発光させるようにした単純マトリックス駆動方式からなる発光ディスプレイの駆動装置において、走査線の各々はバイアス電圧を印加するバイアス電圧印加手段とグランドのいずれか一つに接続可能とされ、陽極線の各々は、素子に駆動電流を付与する定電流源と素子にオフセット電圧を印加する定電圧源とグランドのいずれか一つに接続可能に構成し、任意の走査線の走査が終了し次の走査線の走査に切り換わるまでの期間に、複数のドライブ線のすべてを定電圧源に接続するとともに複数の走査線のすべてをグランドに接続して、素子のすべてを充電するように構成したので、陰極線の抵抗によって生じる各発光素子の発光立ち上がり時間のバラツキが少なくすることができ、発光素子毎の発光輝度の不均一が少なくなり視者が見やすい発光ディスプレイを提供することができる。
【発明の効果】
【００３６】
以上説明したように、本発明の発光ディスプレイ及びその駆動方法においては、陰極線の抵抗によって生じる各発光素子の発光立ち上がり時間のバラツキを少なくすることができるので、発光素子毎の発光輝度の不均一が少なくなり視者が見やすい発光ディスプレイ及びその駆動方法を提供することができる。
【発明を実施するための最良の形態】
【００３７】
以下、本発明の一実施形態を図１〜図５の図面を参照して説明する。
【００３８】
図１〜図５は、本発明おける発光素子の駆動装置を示した。尚、従来例と同一部分に対しては同一の符号を付してある。尚、発光素子は、図１〜図５に示すように、マトリックス状に配置された複数のドライブ線としての陽極線Ａ１〜Ａ２５６と、走査線としての陰極線Ｂ１〜Ｂ６４との各交点位置に発光素子Ｅ１，１〜Ｅ２５６，６４が接続されている。符号１は陰極線走査回路、２は陽極線ドライブ回路、３は陽極リセット回路、４は発光制御回路である。
【００３９】
陰極線走査回路１は、各陰極線Ｂ１〜Ｂ６４を順次に走査するための走査スイッチ５１〜５６４を備え、各走査スイッチ５１〜５６４の一方の端子は電源電圧からなる逆バイアス電圧ＶＣＣ（１０Ｖ）に接続され、他方の端子はグランドにそれぞれ接続されている。
【００４０】
尚、この逆バイアス電圧ＶＣＣは、従来と同様に、発光素子を所望の瞬時輝度で発光させるために発光素子間に印加する電圧値を同一とされる。
【００４１】
陽極ドライブ回路２は、駆動源である電流源２１〜２２５６と、各陽極線Ａ１〜Ａ２５６を選択するためのドライブスイッチ６１〜６２５６とを備えている。
【００４２】
このドライブスイッチ６１〜６２５６は、３接点切替スイッチを用いており、第１の接点は開放とし、第２の接点は電流源２１〜２２５６に、第３の接点はオフセット電圧を印加するための可変電圧源８１〜８２５６に接続されている。
【００４３】
また、陽極リセット回路３は、陽極線Ａ１〜Ａ２５６をグランド電位に接続するためのシャントスイッチ７１〜７２５６を備えている。尚、これらの走査スイッチ５１〜５６４、ドライブスイッチ６１〜６２５６及びシャントスイッチ７１〜７２５６のオン・オフは、発光制御回路４によって制御されている。
【００４４】
また、図中に示した抵抗ｒ２〜ｒ２５６は、発光素子と陰極線の接点と前記発光素子と同一の陰極線に隣接して接続される発光素子と陰極線の接点の間の抵抗値を示すものであり、例えば、発光素子Ｅ１，１と陰極線Ｂ１の接点Ｘと発光素子Ｅ２，１と陰極線Ｂ１の接点Ｙとの間の抵抗がｒ２となる。
【００４５】
これらの抵抗ｒ２〜ｒ２５６はそれぞれ同一の抵抗値ｒとされる。
【００４６】
尚、ここでは、発光素子Ｅ１，１〜Ｅ１，６４と走査スイッチ５１〜５６４間の陰極線Ｂ１〜Ｂ６４の抵抗ｒ１も、説明の便宜上その抵抗値をｒとしている。
【００４７】
では、図１〜図５を参照して本発明の一実施形態による発光素子の駆動方法について説明するに当たり、以下に述べる動作は、陰極線Ｂ１を走査して２つの発光素子Ｅ１，１、Ｅ３，１を発光させた後に、陰極線Ｂ２に走査を移して発光素子Ｅ２，２、Ｅ３，２を発光させる場合を例にして説明する。
【００４８】
また、説明を分かり易くするため、発光している発光素子についてはダイオード記号で示し、発光していない発光素子に対してはコンデンサ記号で示した。
【００４９】
先ず、図１において走査スイッチ５１がグランド電位側に切り換えられ、陰極線Ｂ１が走査されている。他の陰極線Ｂ２〜Ｂ６４には、走査スイッチ５２〜５６４により逆バイアス電圧が印加され、陽極線Ａ１とＡ３には、ドライブスイッチ６１と６３によって電流源２１と２３が接続されるとともに、シャントスイッチ７１と７３は開放されている。
【００５０】
一方、他の陽極線Ａ２及びＡ４〜Ａ２５６は、ドライブスイッチ６２及び６４〜６２５６によって電流源２２及び２４〜２２５６が開放されるとともに、シャントスイッチ７２及び７４〜７２５６によってグランド電位に接続されている。
【００５１】
従って、図１の状態の場合は、発光素子Ｅ１，１とＥ３，１のみが順方向にバイアスされ、電流源２１及び２３から図中矢印で示す方向に駆動電流が流れ込み、発光素子Ｅ１，１とＥ３，１のみが発光している。
【００５２】
この時、ドライブされる陽極線Ａ１とＡ３の電位はそれぞれＶＸ１、ＶＸ３となっており、ＶＸ１＜ＶＸ３の関係になっている。
【００５３】
また、走査されていない陰極線Ｂ２〜Ｂ６４とドライブされている陽極線Ａ１とＡ３の交点にある発光素子Ｅ１，２〜Ｅ１，６４とＥ３２〜Ｅ３６４には、それぞれ正の電荷が充電された状態となっている。この正電荷は可変電圧源８１、８３によって陰極線Ｂ１の走査前に予め充電されたものである。これについては後述する。
【００５４】
この充電により、発光素子Ｅ１，２〜Ｅ１，６４の素子間電圧はＶＸ１−ＶＣＣとなっているのでこれらの素子には電流は流れない。
【００５５】
同様に、発光素子Ｅ３２〜Ｅ３６４の素子間電圧はＶＸ３−ＶＣＣとなっているので、これらの素子には電流は流れない。
【００５６】
また、走査されない陰極線Ｂ２〜Ｂ６４とドライブされない陽極線Ａ２及びＡ４〜Ａ２５６の交点にある発光素子の寄生容量は、走査スイッチ５２〜５６４により逆バイアス電圧が印加されており、グランド電位に接続されているシャントスイッチ７２及び７４〜７２５６を介して図に示すような極性の向きに充電された状態となっている。
【００５７】
次に、ライン走査期間終了後、次のライン走査に移行するまでの間、オフセット電圧の印加を行う。
【００５８】
具体的には、図２に示すように走査スイッチ５１〜５６４によりすべての陰極線Ｂ１〜Ｂ６４を接地するとともに、ドライブスイッチ６１〜６２５６によりすべての陽極線Ａ１〜Ａ２５６を第３の接点側に切り換えて、可変電圧源８１〜８２５６に接続する。また、すべてのシャントスイッチ７１〜７２５６をオフとする。
【００５９】
可変電圧源により印加されるオフセット電圧Ｖ１〜Ｖ２５６は後述する値となるように予め設定されており、これにより、各発光素子の寄生容量には、印加されるオフセット電圧Ｖ１〜Ｖ２５６に応じた正の電荷が充電される。この結果、例えば、発光素子Ｅ２，２には素子間電圧がＶ２になるよう正の電荷が充電され、発光素子Ｅ３，２には素子間電圧がＶ３となるように正の電荷が充電される。この状態を図３に示す。尚、各オフセット電圧を決定する手段については後述する。
【００６０】
次に走査が陰極線Ｂ２に移行し発光素子Ｅ２，２及びＥ３，２の発光が行われる。これについて、図４及び図５に基づいて説明する。
【００６１】
尚、図４は走査が切り換わってから定常発光状態（所望の瞬時輝度で発光する状態）に至るまでを示し、図５は定常発光状態（発光素子の素子間電圧がＶＣＣとなった状態）になったところを示している。
【００６２】
図４に示すように、走査が陰極線Ｂ２に移行すると、走査される陰極線Ｂ２が接地され、走査されない陰極線Ｂ１、Ｂ３〜Ｂ６４は逆バイアス電圧ＶＣＣが印加される。また、ドライブされる陽極線Ａ２、Ａ３は定電流源２２、２３に接続され、ドライブされない陽極線Ａ１、Ａ４〜Ａ２５６はシャントスイッチ７１がＯＮされて接地される。
【００６３】
この時、陽極線Ａ２の電位ＶＸ２は瞬間的にほぼＶＣＣ＋Ｖ２となるので、発光素子Ｅ２，２には、図４に示されるように、定電流源２２からと、発光素子Ｅ２，１及びＥ２，３〜Ｅ２，２５６側とから電流が流れ込み、発光素子Ｅ２，２の素子間電圧がＶＣＣとなるところまでその寄生容量を急速に充電する。
【００６４】
その後は、図５に示されるように、発光素子Ｅ２，１及びＥ２，３〜Ｅ２，６４側からは電流は流れ込まなくなり、定電流源２２から流れ込む所定の電流Ｉが発光素子Ｅ２，２のみに流れ込む状態となる。この状態において発光素子は定常発光状態となる。
【００６５】
尚、陽極線Ａ２と走査されない陰極線Ｂ１及びＢ３〜Ｂ６４の交点に位置する発光素子Ｅ２，１及びＥ２，３〜Ｅ２，２５６は走査期間において常に素子間電圧がＶ２となるように正電荷が充電された状態を維持する。
【００６６】
同様にして、陽極線Ａ３の電位ＶＸ３は瞬間的にほぼＶＣＣ＋Ｖ３となるので、これにより発光素子Ｅ３，２には、図４に示されるように、定電流源２３からと、発光素子Ｅ３，１及びＥ３，３〜Ｅ３，２５６側とから電流が流れ込み、発光素子Ｅ３，１の素子間電圧がＶＣＣとなるところまでその寄生容量を急速に充電する。その後は、図５に示されるように、発光素子Ｅ３，１及びＥ３，３〜Ｅ３，２５６側からは電流は流れ込まなくなり、定電流源２３から流れ込む所定の電流Ｉが発光素子Ｅ３，３のみに流れ込む状態、即ち、定常発光状態となる。
【００６７】
また、同様に、陽極線Ａ３と走査されない陰極線Ｂ１及びＢ３〜Ｂ６４の交点に位置する発光素子Ｅ３，１及びＥ３，３〜Ｅ３，６４は走査期間において常に素子間電圧がＶ３となるように正電荷が充電された状態を維持する。
【００６８】
尚、走査されない陰極線Ｂ１及びＢ３〜Ｂ６４とドライブされない陽極線Ａ１及びＡ４〜Ａ２５６の交点に接続された発光素子（例えば、Ｅ１，１）は、逆バイアス電圧の印加により図４に示す方向から電流が流れ込み、図５に示すように逆方向に電荷が充電された状態となる。
【００６９】
また、走査されている陰極線Ｂ２とドライブされない陽極線Ａ１及びＡ４〜Ａ２５６の交点に接続された発光素子Ｅ１，２及びＥ４，２〜Ｅ２５６，２は両端が接地されているため、図４に示すように充電電荷が放電し、図５に示すように寄生容量には電荷がまったく充電されない状態となる。
【００７０】
図５に示す状態において、発光素子Ｅ２，２と陰極線Ｂ２の接続点Ｐの電位は、発光素子Ｅ２，２及びＥ３，２側から陰極線Ｂ２に流れ込む電流が陰極線Ｂ２の抵抗ｒ１、ｒ２を流れることによる降下電圧値に相当する電位となる。従って、発光素子Ｅ２，２には陽極線Ａ２の電位ＶＸ２からこの降下電圧を差し引いた電圧が印加されていることとなる。
【００７１】
ちなみに、上述した従来技術の場合は、オフセット電圧の印加を行っていないため、陽極線Ａ２の電位ＶＸ２がＶＣＣであり、発光素子Ｅ２，２の素子間電圧はＶＣＣよりも小なるものであった（発光素子Ｅ２，２の寄生容量に充電される電荷は素子間電圧がＶＣＣよりも小）。
【００７２】
そのため、発光素子Ｅ２，２は定常発光状態になっておらず、これを定常発光状態にするため定電流源での更なる充電が必要であった。
【００７３】
しかし本発明の場合は、陽極線Ａ２の電位ＶＸ２がＶＣＣ＋Ｖ２であるので、発光素子Ｅ２，２の素子間電圧は従来よりも大となり（発光素子Ｅ２，２の寄生容量に充電される電荷が従来よりも多い）、よって、定常発光状態にするための充電時間が短縮されるのである。
【００７４】
しかも本実施形態においては、オフセット電圧Ｖ２を上記の降下電圧値と等しく設定しているので、図４に示した、定電流源２２からと、Ｅ２，１及びＥ２，３〜Ｅ２，６４側からの電流の流れ込みによって発光素子Ｅ２，２の素子間電圧を一気にＶＣＣまで持って行き、早急に定常発光状態とすることができる。
【００７５】
同様に、オフセット電圧Ｖ３は、発光素子Ｅ２，２及びＥ３，２側から陰極線Ｂ２に流れ込む電流が陰極線Ｂ２の抵抗ｒ１、ｒ２、ｒ３を流れることによる降下電圧値と等しく設定しているので、図４に示した、定電流源２２からと、発光素子Ｅ３，１及びＥ３，３〜Ｅ３，６４側からの電流の流れ込みによって発光素子Ｅ３，２の素子間電圧を一気にＶＣＣまで持って行き、早急に定常発光状態とすることができる。また、発光素子Ｅ２，２とＥ３，２が定常発光状態となるまでの時間差が殆どなくなるので、パネル内における発光も均一となる。
【００７６】
また本実施形態においては、オフセット電圧Ｖ１〜Ｖ２５６を適宜設定して印加すべく陽極線Ａ１〜Ａ２５６を可変電圧源８１〜８２５６に接続可能としたが、オフセット電圧の設定は、走査される陰極線上の各発光素子の発光状態に応じて設定されることが望ましい。これは、走査される陰極線に接続される各発光素子のうちどの発光素子が発光するのかによって、抵抗ｒ１〜ｒ２５６の各々に流れる電流量が決まり、その結果、抵抗ｒ１〜ｒ２５６の各々における降下電圧値も決まるからである。従って、本実施形態においては、次に走査される陰極線に接続される各発光素子の発光状況データを予め入手し、これを演算してオフセット電圧Ｖ１〜Ｖ２５６の各々を決定する手段と、決定されたオフセット電圧Ｖ１〜Ｖ２５６を印加するように可変電圧源８１〜８２５６を制御する手段とが必要とされる。
【００７７】
以上説明した実施形態においては、オフセット電圧Ｖ１〜Ｖ２５６を印加する手段を可変電圧源８１〜８２５６としたが、これを所定電圧を印加する定電圧源に置き換えることも可能である。この場合、各発光素子の発光状況の変化に応じてオフセット電圧Ｖ１〜Ｖ２５６を変えることはできないため、降下電圧分を完全に補償することはできないが、従来に比べれば、早急に定常発光状態とすることは可能で、パネルの発光均一性も向上する。
【００７８】
またここで、オフセット電圧Ｖ１〜Ｖ２５６は、Ｖ１が最小でＶ２５６が最大となるように設定することが必要で、その間は徐々に増加する（例、Ｖ１＜Ｖ２＜・・・＜Ｖ２５６）ように設定しても良いく、また、ある範囲のオフセット電圧は同じ値となるように設定しても良い（例、Ｖ１＝・・・＝Ｖ５０＜Ｖ５１＝・・・＝Ｖ１００＜・・・）。
【００７９】
また、走査スイッチ５１〜５６４に近いところに位置する陰極線の抵抗の影響が少ない発光素子にはオフセット電圧を印加せず、走査スイッチ５１〜５６４から離れたところに位置する陰極線の抵抗の大きい発光素子だけにオフセット電圧を印加するようにしても良い。
【図面の簡単な説明】
【００８０】
【図１】本発明の一実施形態による発光ディスプレイ及びその駆動方法の第１ステップの説明図。
【図２】本発明の一実施形態による発光ディスプレイ及びその駆動方法の第２ステップの説明図。
【図３】本発明の一実施形態による発光ディスプレイ及びその駆動方法の第３ステップの説明図。
【図４】本発明の一実施形態による発光ディスプレイ及びその駆動方法の第４ステップの説明図。
【図５】本発明の一実施形態による発光ディスプレイ及びその駆動方法の第５ステップの説明図。
【図６】従来例における、発光ディスプレイ及びその駆動方法を示す図。
【図７】従来例における、発光ディスプレイ及びその駆動方法を示す図。
【図８】従来例における、発光ディスプレイ及びその駆動方法を示す図。
【図９】従来例における、発光ディスプレイ及びその駆動方法を示す図。
【図１０】従来例における、発光ディスプレイ及びその駆動方法を示す図。
【図１１】従来例における、発光ディスプレイ及びその駆動方法を示す図。
【図１２】従来例の発光ディスプレイの問題点を示す図。
【符号の説明】
【００８１】
１    陰極線走査回路
２    陽極線ドライブ回路
２１〜２２５６    電流源（駆動源）
３    陽極リセット回路
４    発光制御回路
５１〜５６４    走査スイッチ
６１〜６２５６    ドライブスイッチ
７１〜７２５６    シャントスイッチ
８１〜８２５６    可変電圧源
Ａ１〜Ａ２５６    陽極線（ドライブ線）
Ｂ１〜Ｂ２５６    陰極線（走査線）
Ｅ１，１〜Ｅ２５６，６４    発光素子
Ｃ１，１〜Ｃ２５６，６４    寄生容量
ＶＣＣ    電源電圧
【図１】
2006031050.tif 000003
【図２】
2006031050.tif 000004
【図３】
2006031050.tif 000005
【図４】
2006031050.tif 000006
【図５】
2006031050.tif 000007
【図６】
2006031050.tif 000008
【図７】
2006031050.tif 000009
【図８】
2006031050.tif 000010
【図９】
2006031050.tif 000011
【図１０】
2006031050.tif 000012
【図１１】
2006031050.tif 000013
【図１２】
2006031050.tif 000014